(57)【要約】エラーの起きやすいネットワーク上の、スケーラブルビデオオブジェクトプレーンのエンハンスメントレイヤ伝送の品質を改善する方法（８００）を提供する。エンハンスメントレイヤの伝送は、ビデオパケットヘッダおよびヘッダ拡張部が後続する少なくとも１つの再同期マーカを含んでいる。１つの参照ＶＯＰの識別子（例えば、「ｒｅｆ  ｓｅｌｅｃｔ  ｃｏｄｅ」）は、ビデオオブジェクトプレーンヘッダから多くのエンハンスメントレイヤヘッダ拡張部（７１５）に複製される。参照ＶＯＰの識別子を破損するエラーは、後続のエンハンスメントレイヤヘッダ拡張部から正しい参照ＶＯＰの識別子を復号することによって回復される（８３０、８４０、８５０、８６０）。正しい参照ビデオオブジェクトプレーンが特定され、スケーラブルビデオ伝送のエンハンスメントレイヤのビデオオブジェクトプレーンの復元に使用される（８７０、８８０）。これは、エラーが重大になり得る無線チャンネルおよびインターネット上の、ビデオ伝送のエンハンスメントレイヤにおけるエラー特性を改善する。
2005539410.tif 000002
【特許請求の範囲】
【請求項１】
エラーの起きやすいネットワーク上の、ビデオパケットヘッダおよびヘッダ拡張部が後続する少なくとも１つの再同期マーカを含むスケーラブルビデオオブジェクトプレーンのエンハンスメントレイヤ伝送の品質を改善する方法（８００）であって、
参照ＶＯＰの識別子を、ビデオオブジェクトプレーンヘッダから多くのエンハンスメントレイヤヘッダ拡張部（７１５）に複製するステップと、
後続のエンハンスメントレイヤヘッダ拡張部から正しい参照ＶＯＰの識別子を復号することによって、破損したエラーから前記参照ＶＯＰの識別子を回復させるステップ（８３０、８４０、８５０、８６０）と、
スケーラブルビデオ伝送のエンハンスメントレイヤのビデオオブジェクトプレーンの復元に使用される正しい参照ビデオオブジェクトプレーンを特定するステップ（８７０、８８０）と、
から成り、
前記スケーラブルビデオオブジェクトプレーンのエンハンスメントレイヤ伝送は、ＭＰＥＧ−４のスケーラブルビデオオブジェクトプレーンのエンハンスメントレイヤ伝送と同一かそれと類似であり、前記参照ＶＯＰの識別子は「ｒｅｆ＿ｓｅｌｅｃｔ＿ｃｏｄｅ」フィールド（７１５）である、
方法。
【請求項２】
前記回復させるステップは、
エラーが参照ＶＯＰの識別子に発生したときに、参照ＶＯＰの識別子を推定する（８３０）ステップと、
ビデオオブジェクトプレーンのエンハンスメントレイヤヘッダ拡張部が復号されるまで、前記ビデオオブジェクトプレーンのエンハンスメントレイヤ伝送を復号する（８４０）ステップと、
前記復号されたヘッダ拡張部から得られた参照ＶＯＰの識別子に応じて、前記推定された参照ＶＯＰの識別子を訂正する（８５０）ステップと、
を含む、請求項１記載のエラーの起きやすいネットワーク上の、スケーラブルビデオオブジェクトプレーンのエンハンスメントレイヤ伝送の品質を改善する方法。
【請求項３】
前記回復させるステップは、
参照ＶＯＰの識別子にエラーが発生したときに、ビデオオブジェクトプレーンのエンハンスメントレイヤヘッダ拡張部が復号されるまで、前記ビデオオブジェクトプレーンのエンハンスメントレイヤ伝送ビットをバッファする（８６０）ステップと、
前記復号されたヘッダ拡張部から得られた参照ＶＯＰの識別子に応じて、前記参照ＶＯＰの識別子を訂正する（８７０）ステップと、
を含む、請求項１記載のエラーの起きやすいネットワーク上の、スケーラブルビデオオブジェクトプレーンのエンハンスメントレイヤ伝送の品質を改善する方法。
【請求項４】
後続のエンハンスメントレイヤ伝送を復号するために、正しい参照ＶＯＰの識別子を選択するステップ（８７０、８８０）
をさらに有する、請求項１記載のエラーの起きやすいネットワーク上の、スケーラブルビデオオブジェクトプレーンのエンハンスメントレイヤ伝送の品質を改善する方法。
【請求項５】
ビデオ通信システム（６００）であって、
ビデオエンコーダ（６１５）とビデオデコーダ（６２５）を有し、
前記ビデオエンコーダ（６１５）は、
エンハンスメントレイヤ伝送がビデオパケットヘッダおよびヘッダ拡張部が後続する少なくとも１つの再同期マーカを含む、複数のエンハンスメントレイヤを有するスケーラ
ブルビデオシーケンスを符号化するプロセッサと、
参照ＶＯＰの識別子を、ビデオオブジェクトプレーンヘッダから多くのエンハンスメントレイヤヘッダ拡張部（７１５）に複製する複製手段と、
前記１つまたは２つ以上の参照ＶＯＰの識別子を含む前記スケーラブルビデオシーケンスを送信する送信機と、
を有し、
前記ビデオデコーダ（６２５）は、
前記ビデオオブジェクトプレーンのエンハンスメントレイヤヘッダ拡張部（７１５）を含む前記スケーラブルビデオシーケンスを、前記ビデオエンコーダから受信する受信機と、
前記受信したスケーラブルビデオシーケンスのエンハンスメントレイヤの前記参照ＶＯＰの識別子中の１つまたは２つ以上のエラーを検出する検出器と、
前記１つまたは２つ以上のエラーが検出されたとき、後続のエンハンスメントレイヤヘッダ拡張部から正しい参照ＶＯＰの識別子を復号することによって、破損したエラーから前記参照ＶＯＰの識別子を回復させる（８３０、８４０、８５０、８６０）とともに、スケーラブルビデオ伝送のエンハンスメントレイヤのビデオオブジェクトプレーンの復元に使用される正しい参照ビデオオブジェクトプレーンを特定する（８７０、８８０）、前記検出器に接続されて動作するプロセッサと、
を有し、
スケーラブルビデオオブジェクトプレーンのエンハンスメントレイヤ伝送は、ＭＰＥＧ−４のスケーラブルビデオオブジェクトプレーンのエンハンスメントレイヤ伝送と同一かそれと類似であり、前記参照ＶＯＰの識別子は「ｒｅｆ＿ｓｅｌｅｃｔ＿ｃｏｄｅ」フィールド（７１５）である、
ビデオ通信システム。
【請求項６】
請求項１から請求項４のいずれか１項に記載の方法での使用に適合するか、または請求項５記載の通信システムでの使用に適合するビデオ通信装置（６１５、６２５）。
【請求項７】
請求項１から請求項４のいずれか１項に記載の方法での使用に適合する、または請求項５記載の通信システムでの使用に適合するビデオエンコーダ（６１５）。
【請求項８】
請求項１から請求項４のいずれか１項に記載の方法での使用に適合する、または請求項５記載の通信システムでの使用に適合するビデオデコーダ（６２５）。
【請求項９】
請求項６記載のビデオ通信装置、または請求項７記載のビデオデコーダ、または請求項８記載のビデオデコーダを有する移動無線装置。
【請求項１０】
前記移動無線装置が、携帯電話、携帯用または移動式ＰＭＲラジオ、携帯情報端末、ラップトップコンピュータ、または無線でネットワーク接続されたＰＣである、請求項９記載の移動無線装置。
【発明の詳細な説明】
【技術分野】
【０００１】
本発明は、ビデオ伝送システムおよびビデオ符号化／復号化技術に関する。本発明は、無線およびベストエフォート型ネットワークのようなエラーを起こしやすいネットワーク上の伝送用に、ビデオがスケーラブル圧縮技術を使用して圧縮されている、ＭＰＥＧ−４システムのようなビデオ圧縮システムに利用することができる。
【背景技術】
【０００２】
ビデオ技術の分野では、ビデオが依然としてイメージ／ピクチャの連続体として伝送されていることは知られている。ビデオ信号の品質は、ビデオ信号の符号化または圧縮中に侵されやすいので、ビデオ信号と符号化ビデオビットストリームとの間の差に基づいた追加情報、または「レイヤ」を含ませることが知られている。この追加レイヤを備えることによって、復号および／または復元後の受信信号の品質が向上される。したがって、階層状のビデオビットストリームを生成するために、１つまたは２つ以上のレイヤに区分されたベースピクチャおよびエンハンスメントピクチャの階層構造が使用される。
【０００３】
スケーラブルビデオビットストリームは、２つ以上の分解能および／または品質を有するビデオ信号を同時に送受信できることを指す。スケーラブルビデオビットストリームは、デコーダで利用可能な帯域幅に応じて異なるレートで復号可能なストリームである。これによって、より高い帯域幅チャンネルにアクセスできるユーザは、高品質ビデオを復号することができ、一方、より低い帯域幅のユーザは、より低品質ではあるが、同一のビデオをそれでもなお見ることができる。スケーラブルビデオ伝送の主要用途は、異なる帯域幅にアクセス可能な複数のデコーダが単一のエンコーダからイメージを受信するシステムに関する。
【０００４】
スケーラブルビデオ伝送は、有効ビットレートが時間的に変動しているビットレート適応性にも使用することができる。他の用途として、異なるネットワークおよび／または装置特性を有する多くのエンドシステムへのビデオマルチキャスティングを挙げることができる。さらに重要なことは、スケーラブルビデオは、特定サービスの加入者に、加入者の料金および好みに応じて異なるビデオ品質を提供するのにも使用することができる。したがって、これらの用途では、伝送エラーからエンハンスメントレイヤを保護することが必須条件となる。さもなければ、加入者は、受け入れ可能なサービスを提供するネットワーク事業者の能力に対する信頼を喪失するであろう。
【０００５】
階層状の（スケーラブル）ビデオビットストリームでは、ビデオ信号に対する拡張機能（ｅｎｈａｎｃｅｍｅｎｔｓ）を以下のいずれかによってベースレイヤに追加することができる：
（ｉ）ピクチャの分解能を向上させること（空間スケーラビリティ（ｓｐａｔｉａｌ  ｓｃａｌａｂｉｌｉｔｙ））、
（ｉｉ）ピクチャの信号対雑音比を改善するエラー情報を含ませること（ＳＮＲスケーラビリティ（ＳＮＲ  ｓｃａｌａｂｉｌｉｔｙ））、
（ｉｉｉ）フレームレートを上げるエキストラピクチャを含ませること（一時的スケーラビリティ（ｔｅｍｐｏｒａｌ  ｓｃａｌａｂｉｌｉｔｙ））、または
（ｉｖ）任意の選ばれたビットレートで切り詰め可能な連続的エンハンスメントを提供すること（ファイングラニュラスケーラビリティ（Ｆｉｎｅ  Ｇｒａｎｕｌａｒ  ｓｃａｌａｂｉｌｉｔｙ））。
【０００６】
このような強化機能は、ピクチャ全体またはピクチャ内に任意に形成されたオブジェクトに適用することができ、これはオブジェクトベースのスケーラビリティと呼ばれている。
【０００７】
一時的エンハンスメントレイヤの可処分性を保存するために、Ｈ．２６３＋ＩＴＵ  Ｈ．２６３［ＩＴＵ−Ｔ  勧告  Ｈ．２６３、「低ビットレート通信のビデオコード化（Ｖｉｄｅｏ  Ｃｏｄｉｎｇ  ｆｏｒ  Ｌｏｗ  Ｂｉｔ  Ｒａｔｅ  Ｃｏｍｍｕｎｉｃａｔｉｏｎ」］規格は、一時的スケーラビリティモードに含まれるピクチャが、双方向に予測される（Ｂ）ピクチャであるべきであることを指示している。これらは、図１のビデオストリームに示したようなものである。
【０００８】
図１は、ビデオ符号化技術の分野で知られている、Ｂピクチャ予測依存性を示すスケーラブルビデオ配列１００の概略図を示している。最初のイントラ符号化フレーム（Ｉ１）１１０に、双方向予測されたフレーム（Ｂ２）１２０が後続する。次には、（片方向）予測されたフレーム（Ｐ３）１３０がこれに後続し、第２の双方向予測されたフレーム（Ｂ４）１４０がまた後続する。再び、（片方向）予測されたフレーム（Ｐ５）１５０が、これに順に後続し、以下同様である。
【０００９】
図１の配列の拡張機能として、階層状のビデオビットストリームを使用することができる。図２は、ビデオ符号化技術の分野で知られている階層状のビデオ配列の概略図である。階層状のビデオビットストリームは、ベースレイヤ２０５と、１つまたは２つ以上のエンハンスメントレイヤ２３５とを含む。
【００１０】
ベースレイヤ（レイヤ−１）は、オリジナルビデオ信号ピクチャからサンプリングされ、符号化および／または圧縮された、１つまたは２つ以上のイントラ符号化ピクチャ（Ｉピクチャ）２１０を含む。さらに、ベースレイヤは、イントラ符号化ピクチャ２１０から予測された次の複数の予測されたインター符号化ピクチャ（Ｐピクチャ）２２０、２３０を含む。
【００１１】
エンハンスメントレイヤ（レイヤ−２、またはレイヤ−３、または１つまたは２つ以上の高次レイヤ）２３５では、以下の３つの種類のピクチャを使用することができる：
（ｉ）双方向予測されたＢピクチャ（図示しない）、
（ｉｉ）ベースレイヤ２０５の１つまたは複数のイントラ符号化ピクチャ（ピクチャ内符号化ピクチャ）２１０から予測された拡張イントラ符号化（ＥＩ）ピクチャ２４０、
（ｉｉｉ）ベースレイヤ２０５のインター符号化予測ピクチャ２２０、２３０から予測された拡張予測（ＥＰ）ピクチャ２５０、２６０。
【００１２】
下位のベースレイヤからの縦方向の矢印は、エンハンスメントレイヤのピクチャが、参照（下位）レイヤのそのピクチャの復元された近似から予測されるピクチャであることを示している。
【００１３】
予測が単に下位のレイヤからのみ形成される場合、エンハンスメントレイヤピクチャは、ＥＩピクチャと呼ばれる。しかし、前方のエンハンスメントレイヤピクチャおよび一時的に同時の下位のレイヤ基準ピクチャの両方を使用して、修正された双方向予測ピクチャを生成することができる。この種のピクチャは、ＥＰピクチャ、または「エンハンスメント」Ｐピクチャと呼ばれる。
【００１４】
ＥＩおよびＥＰピクチャの予測フローを図２に示す。図２に特に示さなかったが、エンハンスメントレイヤのＥＩピクチャは、その下位のレイヤの基準ピクチャとしてＰピクチャを有していてもよく、ＥＰピクチャは、その下位のレイヤのエンハンスメントピクチャ
としてＩピクチャを有していてもよい。
【００１５】
ＥＩおよびＥＰピクチャの両方について、参照レイヤからの予測は、運動ベクトルを使用しない。しかし、ＥＰピクチャは、同一レイヤのそれらの前方の基準ピクチャから一時的に予測するときには、通常のＰピクチャのように運動ベクトルを使用する。
【００１６】
前述のスケーラビリティ技術を具体化した現在の規格として、ＭＰＥＧ−４およびＨ．２６３が挙げられる。しかし、ＭＰＥＧ−４は、エンハンスメントレイヤのピクチャまたはビデオオブジェクトプレーン（ＶＯＰ）が互いから予測することができるようにその一時的スケーラビリティを拡張している。これらの規格は、符号化ビデオを表わす高度に圧縮されたビットストリームを生成する。しかし、この高度の圧縮のせいで、ビットストリームが伝送されるとき、ビットストリームは、ネットワークエラーによって非常に破損されやすい。例えば、エラーの起こりやすいネットワーク上のストリーミングビデオの場合には、たとえ既存のネットワークレベルのエラー防御ツールを用いても、あるビットレベルの破損がビットストリームに発生し、デコーダに渡されることは避けられない。
【００１７】
これらのビットレベルのエラーに対処するために、デコーダがエラーに対処できるようにする種々のツールを反映した符号化規格が立案されている。デコーダは、これらのツールによって、ビットストリーム内のエラー箇所を突き止め、隠蔽することができる。
ＭＰＥＧ−４規格は、ビデオビットストリームのエラー復元について３つのツールを定義している。これらは、再同期マーカ、データ区分化（ＤＰ）、およびリバーシブル可変長コード（ＲＶＬＣ）である。これらのツールは、ベースレイヤで使用するために定義されている。ただし、現ＭＰＥＧ−４規格は、スケーラブルエンハンスメントレイヤ内で再同期マーカを使用することを現在検討中である。
【００１８】
運動パラメータまたは離散コサイン変換（ＤＣＴ）係数におけるエラーのような、ビデオオブジェクトプレーン（ＶＯＰ）内で発生するエラーから回復させるのに有用な周期的再同期マーカを含む、そのようなビデオビットストリームのビデオパケットエラー復元ツールは、特に興味深い。ビデオパケットヘッダは、タイムスタンプとＶＯＰ符号化形態を含むがそれらに限定されない、ＶＯＰヘッダ情報の一部を複製する任意選択のヘッダ拡張コード（ＨＥＣ）を含んでいる。ＨＥＣは、再同期マーカとは対照的に、ＶＯＰボディよりむしろＶＯＰヘッダに発生するエラーの回復に有用なツールである。
【００１９】
エンハンスメントレイヤに属するＶＯＰヘッダが、「ｒｅｆ＿ｓｅｌｅｃｔ＿ｃｏｄｅ」と呼ばれる追加の２ビットのフィールドを含むことは注目すべきである。この２ビットのフィールドは、現ＶＯＰを復元するためにデコーダが使用すべき参照ＶＯＰを示している。この２ビットのフィールドは、ベースレイヤには無い。ベースレイヤのＶＯＰは、イントラＶＯＰまたは予測式ＶＯＰのいずれかに限定されている。したがって、各予測されたＶＯＰは、エンハンスメントレイヤに使用されるような「ｒｅｆ＿ｓｅｌｅｃｔ＿ｃｏｄｅ」、またはそれと類似のものを必要とせずに、その直前のＶＯＰから復元することができるであろう。
【００２０】
ＭＰＥＧ−４のビジュアル規格は、ビデオパケットヘッダを以下のように記述している（１９９９年バンクーバで開催されたＩＳＯ／ＩＥＣ  １４４９６−２  ＦＰＤＡＭ  １におけるＩＳＯ／ＩＥＣ  ＪＴＣ  １／ＳＣ  ２９／ＷＧ  １１  Ｎ２８０２、「情報技術−オーディオビジュアルオブジェクトの包括的符号化−パート２：ビジュアル（Ｉｎｆｏｒａｍａｔｉｏｎ  ｔｅｃｈｎｏｌｏｇｙ−ｇｅｎｅｒｉｃ  ｃｏｄｉｎｇ  ｏｆ  ａｕｄｉｏ−ｖｉｓｕａｌ  ｏｂｊｅｃｔｓ−ｐａｒｔ  ２  ：  Ｖｉｓｕａｌ）」付録Ｅのページ１０９から引用）。
【００２１】
「ＩＳＯ／ＩＥＣ  １４４９６で採用されるビデオパケット法は、ビットストリームの全体にわたって周期的再同期マーカを備えることを基本とする。言いかえれば、ビデオパケットの長さは、マクロブロックの数に基づかないで、代わりにそのパケットに含まれるビット数に基づく。現ビデオパケットに含まれるビット数が所定の閾値を超えた場合、新しいビデオパケットは、次のマクロブロックの始まりで生成される。」
ここで図３を参照すると、上述のＭＰＥＧ−４規格に従う典型的なビデオパケット３００が示される。再同期マーカ３１０が、新しいビデオパケット３００の始めを識別するために使用される。この再同期マーカ３１０は、ビデオオブジェクトプレーン（ＶＯＰ）開始コードのみならず、あらゆる可能な可変長コード（ＶＬＣ）コード名から識別可能である。
【００２２】
ヘッダ情報３５０も、ビデオパケット３００の始めで提供される。ヘッダ３５０は、復号処理を再開始させるのに必要な情報を含んでいる。ヘッダ３５０は以下のものを含む：
（ｉ）ビデオパケット３００に含まれるデータ３６０の第１のマクロブロックのマクロブロックアドレス（番号）３２０、
（ｉｉ）データ３６０のその第１のマクロブロックの復号に必要な量子化パラメータ（ｑｕａｎｔ＿ｓｃａｌｅ）３３０、および
（ｉｉｉ）ヘッダ拡張コード（ＨＥＣ）を含むヘッダ拡張部３４０。
【００２３】
マクロブロック番号３２０は、必要な空間再同期を提供し、量子化パラメータ３３０によって差動復号化処理の再同期が可能になる。量子化パラメータ３３０に後続するヘッダ拡張コード（ＨＥＣ）は、追加情報がヘッダ３５０で利用可能かどうかを表示するのに使用される単一の情報ビットである。
【００２４】
ＨＥＣが「１」に等しい場合、以下の追加情報がパケットヘッダ拡張（コード）３４０で利用可能である：
モジューロタイムベース、ｖｏｐ＿ｔｉｍｅ＿ｉｎｃｒｅｍｅｍｔ、ｖｏｐ＿ｃｏｄｉｎｇ＿ｔｙｐｅ、ｉｎｔｒａ＿ｄｃ＿ｖｌｃ＿ｔｈｒ、ｖｏｐ＿ｆｃｏｄｅ＿ｆｏｒｗａｒｄ、ｖｏｐ＿ｆｃｏｄｅ＿ｂａｃｋｗａｒｄ。
【００２５】
ＨＥＣは、その値が「１」の場合、各ビデオパケット（ＶＰ）３００の独立した復号化を可能にする。ＨＥＣが「１」に等しい場合、ＶＰ３００を復号するのに必要な情報は、ＨＥＣフィールドに含まれている。
【００２６】
ビデオオブジェクトプレーン（ＶＯＰ）と呼ばれるビデオピクチャでは、一連のＶＰヘッダおよびデータの後方のマクロブロックが後続する一連の再同期化マーカが伝送される（したがって、受信される）。このようなビデオピクチャの最初のヘッダは、ＶＯＰヘッダ（図示しない）である。ＶＯＰヘッダは、ビデオシーケンスの開始コード、タイムスタンプ、符号化形式を識別する情報、量子化形式を識別する情報を始めとする情報を含んでいる。よって、ＶＯＰヘッダを正確に復号するデコーダは、その後連続したＶＰ３００の残りの伝送を正確に復号することができる。ＶＯＰヘッダ情報が伝送エラーによって破損された場合、そのようなエラーは、タイムスタンプおよびＶＯＰ符号化形式のようなＶＯＰヘッダ情報の全部ではないが一部を複製するヘッダ拡張（コード）情報によって、修正することができる。
【００２７】
上記のように、エンハンスメントレイヤ内のＶＯＰヘッダは、「ｒｅｆ＿ｓｅｌｅｃｔ＿ｃｏｄｅ」フィールドと呼ばれる１つの追加的な２ビットフィールドを含んでいる。ＨＥＣは、ベースレイヤで使用するように設計されているので、ＨＥＣがエンハンスメントレイヤに組み込まれた場合には、ｒｅｆ＿ｓｅｌｅｃｔ＿ｃｏｄｅは複製されない。
【００２８】
本発明の発明者は、エンハンスメントレイヤのＶＯＰヘッダの「ｒｅｆ＿ｓｅｌｅｃｔ＿ｃｏｄｅ」フィールドが、直接かまたはヘッダ破損によるかのいずれかでネットワークエラーを受けた場合、デコーダが、下位層ＶＯＰの正しい復元ソースを識別することができないということに気づいた。これに関するエラーは、下位層ＶＯＰに対するビデオ品質の劣化を引き起こすだけでなく、インターフレーム予測の本来の性質のために、連続したＶＯＰにもまた波及する。
【００２９】
エンハンスメントレイヤのＶＯＰに使用されるスケーラビリティモードによって、２ビットの「ｒｅｆ＿ｓｅｌｅｃｔ＿ｃｏｄｅ」フィールドは、４つの異なる値、「００」、「０１」、「１０」、または「１１」の１つを有することができる。非イントラ符号化ＶＯＰを復元するために、デコーダの動作は、（関連する運動ベクトルの値によってピクセルの下位層８Ｘ８または１６Ｘ１６ブロックをシフトさせることによって）以前に復号されたＶＯＰを、「ｒｅｆ＿ｓｅｌｅｃｔ＿ｃｏｄｅ」フィールドの値に応じて補正する。「ｒｅｆ＿ｓｅｌｅｃｔ＿ｃｏｄｅ」フィールドが破損されたか、または見当たらない場合には、デコーダは、参照ＶＯＰを識別できない。したがって、下位層ＶＯＰは、正確に復号されない危険性がある。本発明の発明者は、図４に示すように、種々エラーシナリオが「ｒｅｆ＿ｓｅｌｅｃｔ＿ｃｏｄｅ」フィールドの破損から生じ得ることを確認した。
【００３０】
図４に示すように、３つのシナリオ４０５、４５０、４６０が、エンハンスメントレイヤ送信４１０のＶＯＰヘッダの「ｒｅｆ＿ｓｅｌｅｃｔ＿ｃｏｄｅ」フィールドに発生するエラーと確認されている。３つのシナリオの各々に対して、エンハンスメントレイヤ４１０は、３つの拡張予測値４１５、４２０、４２５を示し、ベースレイヤ４３０は３つの予測値４３５、４４０、４４５を示す。
【００３１】
Ｂｅ＋１の「ｒｅｆ＿ｓｅｌｅｃｔ＿ｃｏｄｅ」＝「０１」を示す比較エラーなしの事例をフィールド４０５に示す。フィールド４５０に、Ｂｅ＋１フィールドのヘッダエラーを示す。その結果、デコーダは、Ｂｅ＋１の「ｒｅｆ＿ｓｅｌｅｃｔ＿ｃｏｄｅ」＝「１１」であると不正確に推定する。フィールド４６０で、Ｂｅ＋１フィールドのヘッダエラーを再び示す。その結果、この事例のデコーダは、Ｂｅ＋１の「ｒｅｆ＿ｓｅｌｅｃｔ＿ｃｏｄｅ」＝「１０」であると不正確に推定する。
【００３２】
エンコーダは、このフィールドが下位層のインプリメンテーションに従ってあるＶＯＰから他のＶＯＰに変更できることを示唆するＶＯＰをベースにして、「ｒｅｆ＿ｓｅｌｅｃｔ＿ｃｏｄｅ」を選択することは注目すべきである。さらに、後方のＢｅ＋２の値４２５が、予測のソースとして破損したＶＯＰを使用するので、エラーは、一時的ドメインに伝播し始め、著しい見た目のひずみを発生させる。
【００３３】
ここで図５を参照すると、図４のエラーシナリオ４５０および４６０による「ｒｅｆ＿ｓｅｌｅｃｔ＿ｃｏｄｅ」の破損によって生じた客観的結果が示される。図５では、テストシーケンスフォアマン（Ｆｏｒｅｍａｎ）が、一時的スケーラビリティで１つのレイヤ当たり２０  ｋｂｉｔ／ｓで符号化される。エンハンスメントレイヤのエラーが、汎用パケットラジオシステム（ＧＰＲＳ）の物理リンクレイヤシミュレータを使用して発生された。その結果得られたフレーム消去率（ＦＥＲ）は５．６％であり、残余ビットエラー率（ＲＢＥＲ）は０．１％である。図５では、ＶＯＰ番号１７６のｒｅｆ＿ｓｅｌｅｃｔ＿ｃｏｄｅが破損したことを示している。図５は、修正されたヘッダ拡張部の効果、およびエラーシナリオ（ｂ）４５０およびエラーシナリオ（ｃ）４６０を、オリジナルヘッダ拡張部に使用したことに付随する劣化を示している。
【００３４】
エラーシナリオ（ｂ）４５０において、「ｒｅｆ＿ｓｅｌｅｃｔ＿ｃｏｄｅ」は「１１」の値を有すると推定されているので、デコーダは、復元の前方のソースとして、Ｂｅの
代わりに図４のＶＯＰ  Ｐｂを選択する。同様にシナリオ（ｃ）４６０において、デコーダは、後方の予測ソースとして、Ｐｂの代わりに図４のＶＯＰ  Ｐｂ＋１を選択する。両方の事例において、下位層ＶＯＰは正確に復元されない。後方のＶＯＰが予測ソースとして下位層ＶＯＰを使用するので、エラーは、一時的ドメインに伝播し始める。
【００３５】
エンハンスメントレイヤを考案および使用することの背後にある論拠は、エンハンスメントレイヤがそれ自体エラー復元ツールと見なされるという事実に基づいていた。エンハンスメントレイヤ情報は、より重要なベースレイヤの復号化品質を向上させるビジュアル情報を含んでいる。このように、エンハンスメントレイヤ情報は不可欠であるとは考えられていなかったので、それ以上の復元力は期待されていなかった。
【００３６】
よって、現在のビデオの通信システムにおけるビデオビットシーケンスのさらに高度なレベルの保護に対する焦点は、ベースレイヤに当てられている。これは、エラーがエンハンスメントレイヤビットストリームで発生したときに、エンハンスメントレイヤを維持したいデコーダは、エラー復元ツールが使用可能な場合に隠蔽する必要がある以上に、エラーの可能性の高いさらに多くのデータを隠蔽しなければならないことを意味している。
【００３７】
したがって、本発明の発明者は、ＭＰＥＧ−４規格の多くの現在の限界を認識および確認している。本発明の発明者は、制限されたエラー回復ツールをエンハンスメントレイヤで使用した場合、例えば再同期マーカをＭＰＥＧ−４ビットストリームシンタックスおよび簡単な販売可能なプロファイルの中で単に使用した場合、他の類似のスケーラブルビデオ技術および規格のみならず、ＭＰＥＧ−４も完全ではないことを特定した。特に、本発明の発明者は、エンハンスメントレイヤ伝送の改善について、ベースレイヤビデオビットシーケンスのより高度なレベルの保護のための現在の焦点に対するパラダイムシフトを提案している。
【発明の開示】
【発明が解決しようとする課題】
【００３８】
要約すると、ビデオ通信の分野において、特にスケーラブルビデオ通信において、従来技術の構成を有する上述の欠点が軽減できる、エラーの起きやすいネットワーク上で伝送されるスケーラブルビデオエンハンスメントレイヤの品質を改善する装置および方法の必要性が存在する。
【００３９】
公開された特許文献１は、スケーラブルな階層状ビデオ符号化スキームについて記述している。再同期マークは、ヘッダのエンハンスメントレイヤビットストリームに挿入される。
【００４０】
従来技術資料である非特許文献１「ＦＧＳ符号化スキームのエラー回復方法（Ｅｒｒｏｒ  ｒｅｓｉｌｉｅｎｃｅ  ｍｅｔｈｏｄ  ｆｏｒ  ＦＧＳ  Ｃｏｄｉｎｇ  Ｓｃｈｅｍｅ）」は、ファイングラニュラリティスケーラビリティ（ＦＧＳ）符号化スキームについて記述している。エンハンスメントレイヤビットストリームの新しいアーキテクチャにおける再同期マーカおよびヘッダ拡張コードが提案されている。
【課題を解決するための手段】
【００４１】
本発明は、請求項１に記載の、エラーの起きやすいネットワーク上の、スケーラブルビデオオブジェクトプレーンのエンハンスメントレイヤ伝送の品質を改善する方法、請求項５に記載のビデオ通信システム、請求項６に記載のビデオ通信装置、請求項７に記載のビデオエンコーダ、請求項８に記載のビデオデコーダ、請求項９に記載の移動無線装置を提供する。本発明のさらなる態様は、従属クレームに記載の内容である。
要約すると、エラーの起きやすいネットワーク上を伝送されるスケーラブルビデオエンハ
ンスメントレイヤの品質を、再同期マーカを使用することによって改善する装置およびその方法を説明している。
【００４２】
特に、本発明は、ビデオパケットヘッダのヘッダ拡張部の改善をエンハンスメントレイヤで使用する機構およびその方法を提供する。ヘッダ拡張部の改善は、ＭＰＥＧ−４システムのｒｅｆ＿ｓｅｌｅｃｔ＿ｃｏｄｅのような参照ＶＯＰの識別子を複製することを含んでいる。こうして、デコーダは現ＶＯＰの復元に使用されるべき参照ＶＯＰＳを特定できる。
【特許文献１】米国公開特許出願公開番号第２００２／００２１７６１号
【非特許文献１】ヤンロン（Ｙａｎ  Ｒｏｎｇ）、タオラン（Ｔａｏ  Ｒａｎ）、ワンユエ（Ｗａｎｇ  Ｙｕｅ）、ウーフエン（Ｗｕ  Ｆｅｎｇ）、リシペン（Ｌｉ  Ｓｈｉ−Ｐｅｎｇ）、「ＦＧＳ符号化スキームのエラー回復方法（Ｅｒｒｏｒ  ｒｅｓｉｌｉｅｎｃｅ  ｍｅｔｈｏｄ  ｆｏｒ  ＦＧＳ  Ｃｏｄｉｎｇ  Ｓｃｈｅｍｅ）」、アクタエレクトロン、シン（中国）、２００２年１月、Ｖｏｌ３０、Ｎｏ．１、１０２−１０４ページ
【発明を実施するための最良の形態】
【００４３】
本発明の典型的な実施形態を、図６〜９を参照しながら説明する。
ここに説明した発明概念は、ＳＮＲスケーラビリティ、一時的スケーラビリティ、空間スケーラビリティ、およびファイングラニュラリティスケーラビリティ（ＦＧＳ）のような種々のスケーラブル符号化ビデオ技術に適用することができる。ここに説明した発明概念は、現在のＭＰＥＧの分野、およびスケーラブルビデオ圧縮の将来のバージョンに、特に用途がある。
【００４４】
本発明の好ましい実施形態は、ビデオパケットヘッダのヘッダ拡張部の改善をエンハンスメントレイヤで使用する機構およびその方法を示す。ヘッダ拡張部の改善は、エンハンスメントレイヤのビデオオブジェクトプレーンヘッダからの「ｒｅｆ＿ｓｅｌｅｃｔ＿ｃｏｄｅ」フィールドのようなヘッダ情報を複製することを含んでいる。これによって、デコーダは、現ＶＯＰの復元に使用されるべき参照ＶＯＰを特定できる。
【００４５】
本発明の好ましい実施形態を、ＭＰＥＧ−４ビデオシステムの「ｒｅｆ＿ｓｅｌｅｃｔ＿ｃｏｄｅ」のようなヘッダ拡張部の適応に関して説明するが、代わりの技術が他のスケーラブルビデオ通信システムに使用できることは、本発明の意図する範囲内である。例えば、「ｒｅｆ＿ｓｅｌｅｃｔ＿ｃｏｄｅ」を使用しないシステムについて、ヘッダ拡張部のその後の使用が、参照ＶＯＰのタイムスタンプのようなビデオオブジェクトプレーンヘッダの他のパラメータを包含していてもよいことは想定される。
【００４６】
まず図６を参照すると、本発明の好ましい実施形態を組み込むのに適したビデオエンコーダ６１５およびビデオデコーダ６２５を含むビデオ通信システム６００の概略図を示す。
【００４７】
図６において、ビデオピクチャＦ０はビデオエンコーダ６１５で圧縮され６１０、毎秒ｒ１キロビット（ｋｂｐｓ）のレートで伝送されるベースレイヤのビットストリーム信号を生成する。このベースレイヤビットストリーム信号は、ビデオデコーダ６２５で復元され６２０、復元されたベースレイヤピクチャＦ０’を生成する。
【００４８】
圧縮されたベースレイヤビットストリームは、ビデオエンコーダ６１５でも復元され６３０、６４０でオリジナルピクチャＦ０と比較され、差分信号６５０を潜在的に生成する。この差分信号は、６６０で圧縮され、エンハンスメントレイヤのビットストリームとしてレートｒ２  ｋｂｐｓで伝送される。このエンハンスメントレイヤビットストリームは
、６７０でビデオデコーダ６２５で復元されてエンハンスメントレイヤピクチャＦ０’’を生成し、これが６８０で復元されたベースレイヤピクチャＦ０’に加えられ、最終的復元ピクチャＦ０’’’を生成する。
【００４９】
本発明の好ましい実施形態によれば、ビデオエンコーダ６１５の圧縮機能６６０は、エンハンスメントレイヤビットストリーム内での使用に適したベースレイヤのビデオパケットヘッダのヘッダ拡張部またはその類似物を修正するように適合されている。さらに、ビデオデコーダ６２５の復元機能６７０は、エンハンスメントレイヤビットストリームのビデオパケットヘッダの修正されたヘッダ拡張部またはその類似物を復号するように適合されている。このように、ｒｅｆ＿ｓｅｌｅｃｔ＿ｃｏｄｅのような参照ＶＯＰの識別子の複製を含んでいるヘッダ拡張部の改善を準備することによって、デコーダは、破損している可能性のある現ＶＯＰの復元に使用されるべき参照ＶＯＰを特定できる。
【００５０】
ビデオパケットヘッダのヘッダ拡張部の修正を、図７に関してさらに説明する。
代わりの符号化および復号化構成が、エンハンスメントレイヤビットストリーム内の使用に適したベースレイヤのビデオパケットヘッダのヘッダ拡張部またはその類似物を修正するのに適しているだろうことは、本発明の意図する範囲である。したがって、以下に説明する発明概念を、図６で提供した実施例の構成に限定するようにとらえるべきではない。
【００５１】
ここで図７を参照すると、本発明の好ましい実施形態に従って適合されたエンハンスメントレイヤのＶＯＰが示される。要約すると、ベースレイヤビデオ伝送のビデオパケットヘッダのヘッダ拡張部は、エンハンスメントレイヤでの使用に適するように修正されている。ＶＰＨの適合されたヘッダ拡張部の好ましいインプリメンテーションはＭＰＥＧ−４伝送にあり、そのシンタックス修正案を図９に示す。
【００５２】
図７のエンハンスメントレイヤのＶＯＰビデオビットシーケンス７００は、２ビットの「ｒｅｆ＿ｓｅｌｅｃｔ＿ｃｏｄｅ」フィールド７１５を含むＶＯＰヘッダ７１０を含んでいる。ＶＯＰヘッダ７１０には、データ３６０の連続するマクロブロックが後続する。ＶＯＰは、再同期マーカ３１０およびビデオパケットヘッダ７５０で各々始まる、多くのビデオパケットに分割される。
【００５３】
本発明の好ましい実施形態によれば、エンハンスメントレイヤ伝送の多くのＶＰヘッダ７５０は、修正されたヘッダ拡張部７４０を含むように適合されている。ヘッダ拡張部７４０は、エンハンスメントレイヤ伝送のＶＯＰヘッダ７１０の「ｒｅｆ＿ｓｅｌｅｃｔ＿ｃｏｄｅ」フィールド７１５（参照ＶＯＰの識別子）を複製するように修正されている。
【００５４】
エンハンスメントレイヤビデオパケットヘッダ７５０の多くのヘッダ拡張部７４０が、「ｒｅｆ＿ｓｅｌｅｃｔ＿ｃｏｄｅ」フィールド７１５を複製することによって、デコーダは、エンハンスメントレイヤのＶＯＰヘッダを侵したエラーから回復できるようになる。特に、エンハンスメントレイヤに属するＶＯＰヘッダ７１０の「ｒｅｆ＿ｓｅｌｅｃｔ＿ｃｏｄｅ」フィールド７１５が破損された場合には、デコーダは、破損されたフィールドを、エンハンスメントレイヤの修正されたヘッダ拡張部７４０から復号された正しい値に置き換えることができる。
【００５５】
エンハンスメントレイヤに属するＶＯＰヘッダ７１０の「ｒｅｆ＿ｓｅｌｅｃｔ＿ｃｏｄｅ」の値を複製すべくヘッダ拡張部を修正することにより、図５に示した品質低下が防止する。いったん、各エンハンスメントレイヤヘッダ拡張部が復号されると、デコーダは正しい参照ＶＯＰの識別子を選択し、エンハンスメントレイヤのデータのマクロブロックの正確な復号を再開することができる。これは、図９に示すようなＭＰＥＧ４ビデオビッ
トストリームのシンタックスコードの短い修正によって行うことができる。
【００５６】
この適所でのシンタックスコードの修正により、エラーがＶＯＰヘッダで発生して、「ｒｅｆ＿ｓｅｌｅｃｔ＿ｃｏｄｅ」を破損した場合には、デコーダは、図８に説明する方法の１つに従うことができる。
【００５７】
ここで図８を参照すると、フローチャート８００は、本発明の好ましい実施形態によるエンハンスメントレイヤのＶＯＰヘッダの「ｒｅｆ＿ｓｅｌｅｃｔ＿ｃｏｄｅ」フィールドのエラーに対処する好ましい方法を示している。スケーラブルビデオ伝送は、ステップ８１０で始まる。ステップ８２０に示すように、エラーがＶＯＰヘッダで発生して、「ｒｅｆ＿ｓｅｌｅｃｔ＿ｃｏｄｅ」を破損する。次に、デコーダは、次のヘッダ拡張部が復号されるまで、エンハンスメントレイヤのビットストリームに対処する任意の適切な措置を取ることができる。
【００５８】
２つの好ましい代替の方法をフローチャート８００に示す。まず、デコーダは、ステップ８３０に示すように、例えば前の「ｒｅｆ＿ｓｅｌｅｃｔ＿ｃｏｄｅ」を参照することによって、「ｒｅｆ＿ｓｅｌｅｃｔ＿ｃｏｄｅ」の値を推定してもよい。次に、ステップ８４０で、この推定された「ｒｅｆ＿ｓｅｌｅｃｔ＿ｃｏｄｅ」は、デコーダが、その復号が使用されるべき正しい「ｒｅｆ＿ｓｅｌｅｃｔ＿ｃｏｄｅ」を示す次のヘッダ拡張部に出会うまで、使用されてもよい。ステップ８５０で、デコーダは、ヘッダ拡張部の復号すると、「ｒｅｆ＿ｓｅｌｅｃｔ＿ｃｏｄｅ」の値を訂正することができる。ステップ８７０に示すように、デコーダはその後、次のエンハンスメントレイヤの復号に使用する正しい参照ＶＯＰを選択することができる。一方、ステップ８６０に示すように、デコーダは、次のヘッダ拡張部が復号されるまで、事前に知られているビデオパケットの最大サイズまでのＶＯＰビットをバッファすることを決定してもよい。次に、ステップ８６０で、デコーダは、その参照ＶＯＰの選択を訂正することができる。次に、ステップ８８０に示すように、エンハンスメントレイヤ伝送の正しい復号が、下位層ＶＯＰの先頭から再開されてもよい。
【００５９】
「ｒｅｆ＿ｓｅｌｅｃｔ＿ｃｏｄｅ」は、２ビットのフィールドである。従って、ヘッダ拡張部が、４０  ｋｂｉｔ／ｓで１０フレーム／秒のレートで、ＶＯＰごとに１回存在している場合、ビットストリームシンタックスの修正案によって発生した余分なオーバーヘッドは、好都合にも０．０５％になる。このレベルのオーバーヘッドは無視することができる。複製された参照ＶＯＰの識別子（例えばｒｅｆ＿ｓｅｌｅｃｔ＿ｃｏｄｅ）を含む適応可能なヘッダ拡張部が後続する、ビデオパケットヘッダを示す単一の再同期マーカのみが、ここに説明した発明概念から恩恵を受けることは推察される。しかし、本発明は、任意の数の、再同期マーカ、ヘッダ、およびヘッダ拡張部に利点を提供するものである。
【００６０】
最後に、出願者は、ジョイントビデオチーム（ＪＶＴ）（ＭＥＰＧ−４およびＨ．２６Ｌからの）構成のようなＭＰＥＧ通信規格の将来のバージョンが、現在開発中であることを言及しておく。本発明は、ＭＰＥＧ−４規格に限定されるものではなく、発明者は、スケーラブルビデオ圧縮の将来のバージョンに応用可能であるものと想定している。
【００６１】
上述の発明概念が、いかなるビデオ通信装置および／またはビデオ通信システムにも適用できるのは本発明の意図する範囲内である。特に、この発明概念は、携帯電話／移動式無線装置やそれに関連する無線通信システムを始めとする無線（ラジオ）装置に、特に用途がある。このような無線通信装置として、携帯用または移動式ＰＭＲラジオを始めとする、携帯情報端末、ラップトップコンピュータ、または無線でネットワーク接続されたＰＣを挙げることができる。
【００６２】
本発明の好ましい実施形態をＭＰＥＧ−４規格に関して説明したが、スケーラブルビデオシステム技術は、一般にユニバーサル移動体通信規格（ＵＭＴＳ）と呼ばれる第３世代（３Ｇ）のデジタルセルラ電話機で実現されるであろう。スケーラブルビデオシステム技術は、一般に汎用パケットデータ無線システム（ＧＰＲＳ）と呼ばれる現在の第２世代のセルラー電話機と、ディジタルプライベートおよびパブリック移動無線システムのＴＥＴＲＡ（ＴＥｒｒｅｓｔｒｉａｌ  Ｔｒｕｎｋｅｄ  ＲＡｄｉｏ）規格の両方のパケットデータ変形例にも用途が見つかるであろう。さらに、スケーラブルビデオシステム技術は、インターネットにも利用できるであろう。したがって、上述の発明概念は、用途（利用性）およびそれによる利点を、これらの新しく出現するすべての技術に見出すであろう。
【００６３】
上に説明したように、エラーの起きやすいネットワーク上を伝送されるスケーラブルビデオエンハンスメントレイヤの品質を改善する機構およびその方法は、少なくとも以下の利点を提供することが理解される：
（ｉ）エラーが重大になり得る無線チャンネルおよびインターネット上の、ビデオ伝送におけるエンハンスメントレイヤのエラー特性を改善する。
（ｉｉ）非常に競争の激しい移動式マルチメディア市場において、スケーラブルビデオ技術がエラー復元ツールを使用することを可能にする。
（ｉｉｉ）ネットワーク処理能力とビットエラー率（ＢＥＲ）が変わりそうな状況において、ユーザに最適のビデオ品質を提供するために、ネットワークのサービス品質（ＱｏＳ）情報と連携してスケーラブルビデオを使用することをさらに可能にする。
【００６４】
（ａ）本発明の方法
上記の説明を要約すると、エラーの起きやすいネットワーク上のスケーラブルビデオオブジェクトプレーンのエンハンスメントレイヤ伝送の品質を改善する方法について説明した。エンハンスメントレイヤ伝送は、ビデオパケットヘッダおよびヘッダ拡張部が後続する少なくとも１つの再同期マーカを含んでいる。その方法は、ビデオオブジェクトプレーンヘッダから、参照ＶＯＰの識別子を、多くのエンハンスメントレイヤヘッダ拡張部に複製するステップを含んでいる。参照ＶＯＰの識別子を破損したエラーは、後続のエンハンスメントレイヤヘッダ拡張部から正しい参照ＶＯＰの識別子を復号することによって回復される。正しい参照ビデオオブジェクトプレーンが特定され、スケーラブルビデオ伝送のエンハンスメントレイヤのビデオオブジェクトプレーンの復元に使用される。
【００６５】
本発明の第１の焦点は、ＭＰＥＧ−４ビデオ伝送システムである。しかし、本発明の発明者は、本発明が他のスケーラブルビデオ圧縮システムにも適用できることを認識している。
【００６６】
（ｂ）本発明の装置
複数のエンハンスメントレイヤを有するスケーラブルビデオシーケンスを符号化するプロセッサを有するビデオエンコーダを含んでいるビデオ通信システムについて説明した。エンハンスメントレイヤ伝送は、ビデオパケットヘッダおよびヘッダ拡張部が後続する少なくとも１つの再同期マーカを含んでいる。ビデオオブジェクトプレーンヘッダから参照ＶＯＰの識別子を多くのエンハンスメントレイヤヘッダ拡張部に複製する複製手段が提供され、送信機は、複製された参照ＶＯＰの識別子を含んでいるスケーラブルビデオシーケンスを送信する。ビデオデコーダは、ビデオエンコーダからのビデオオブジェクトプレーンのエンハンスメントレイヤヘッダ拡張部を含んでいるスケーラブルビデオシーケンスを受信する受信機を含んでいる。検出器は、受信したスケーラブルビデオシーケンスのエンハンスメントレイヤの参照ＶＯＰの識別子中の１つまたは２つ以上のエラーを検出する。検出器に接続されて動作するプロセッサは、１つまたは２つ以上のエラーが検出されたとき、後続のエンハンスメントレイヤヘッダ拡張部から正しい参照ＶＯＰの識別子を復号す
ることによって、参照ＶＯＰの識別子を破損するエラーから回復させる。プロセッサは、スケーラブルビデオ伝送のエンハンスメントレイヤのビデオオブジェクトプレーンの復元に使用される正しい参照ビデオオブジェクトプレーンを特定する。
【００６７】
ビデオ通信装置、適応されたビデオエンコーダ、適応されたビデオデコーダ、およびそれらの装置の任意の１つを組み込んだ移動無線装置についても説明した。
一般に、ここに含まれる発明概念は、いかなる適切なビデオまたはイメージ伝送システムにも同じように適用できる。本発明の特定の好ましい実施形態を以上説明したが、当業者がそのような発明概念の変形および修正を容易に適用できることは明らかであろう。
【００６８】
このように、エラーの起こりやすいネットワーク上で伝送されるスケーラブルビデオエンハンスメントレイヤの品質を改善するための、改善された装置および方法が提供され、それにより従来技術の配列に関する前述の欠点が実質的に軽減された。
【図面の簡単な説明】
【００６９】
【図１】ビデオ符号化技術の分野で知られている、ピクチャ予測依存性を示すビデオ符号化配列の概略図。
【図２】よく知られている階層状のビデオ符号化配列の概略図。
【図３】ＭＰＥＧ−４規格に従う典型的なビデオパケット。
【図４】ＭＰＥＧ−４規格に従うビデオオブジェクトプレーン（ＶＯＰ）ヘッダの「ｒｅｆ＿ｓｅｌｅｃｔ＿ｃｏｄｅ」フィールドの破損から生じる種々のエラーシナリオ。
【図５】図４の種々のエラーシナリオのシミュレートされた測定結果を示すグラフ。
【図６】本発明の好ましい実施形態による、ビデオシーケンスのエンハンスメントレイヤを修正するのに適したスケーラブルビデオ通信システムの概略図。
【図７】本発明の好ましい実施形態を組み込むのに適したＶＯＰヘッダおよびＶＯＰボディ。
【図８】本発明の好ましい実施形態による、エンハンスメントレイヤのＶＯＰヘッダの「ｒｅｆ＿ｓｅｌｅｃｔ＿ｃｏｄｅ」フィールドのエラーに対処する好ましい方法を示すフローチャート。
【図９】本発明の好ましい実施形態による、ＭＰＥＧ−４のビジュアル規格のセクション６．２．５．２「短いヘッダを持つビデオプレーン（Ｖｉｄｅｏ  Ｐｌａｎｅ  ｗｉｔｈ  ｓｈｏｒｔ  ｈｅａｄｅｒ）、Ｖｉｄｅｏ＿Ｐａｃｋｅｔ＿Ｈｅａｄｅｒ  （）」に対するたシンタックス修正案。
【図１】
2005539410.tif 000003
【図２】
2005539410.tif 000004
【図３】
2005539410.tif 000005
【図４】
2005539410.tif 000006
【図５】
2005539410.tif 000007
【図６】
2005539410.tif 000008
【図７】
2005539410.tif 000009
【図８】
2005539410.tif 000010
【図９】
2005539410.tif 000011
【国際調査報告】
2005539410.tif 000012
2005539410.tif 000013
2005539410.tif 000014
2005539410.tif 000015